(57)【要約】【課題】放電管の輝度ばらつきの抑制を考慮したストレキャパシタンスの特性と液晶テレビジョン内のスペース効率とを確保しつつ、液晶モジュール内の温度勾配による放電管の輝度ばらつきを抑制することができる液晶モジュールの構造を提供する。【解決手段】反射シート３３を保持すると共にバックライト２５との間で所定の距離を保つ中間平板金３４をバックライト２５と背面板金３６との間に配設することで、反射シート３３を適切に保持しつつ中間平板金３４とバックライト２５との間に存在するストレキャパシタンスのばらつきを抑制する。また、背面板金３６と中間平板金３４とに接続される複数並べられたＵ字状のヒートパイプを備えることで、背面板金３６の裏側にヒートシンク等の部材を設けることなく且つストレキャパシタンスのばらつきを増大させることなく液晶モジュール１１内の温度ばらつき（温度勾配）を適切に抑制する。【選択図】図３
2008286831.tif 000002
【特許請求の範囲】
【請求項１】
画面に映像を表示する液晶パネルと、同液晶パネルを背面から照射する放電管と、同放電管の上記液晶パネル側とは反対側に配置されて同放電管から照射された光を同液晶パネルに向けて反射する反射シートと、同反射シートの上記液晶パネル側とは反対側に配置される背面板金とがモジュール化された液晶モジュールの構造において、
上記反射シートを上記液晶パネル側に密着させることで保持すると共に、上記放電管との間で所定の距離を保ちつつ同放電管と上記背面板金との間に配設される中間平板金と、
上記液晶モジュール内の温度ばらつきが抑制されるように上記背面板金と上記中間平板金との間に配設されて上記背面板金と上記中間平板金との間の空間内における鉛直方向の熱移動を可能とする伝熱部材と
を、備えることを特徴とする液晶モジュールの構造。
【請求項２】
上記伝熱部材は、連結された２つの軸部が鉛直方向に沿って配設されるＵ字状のヒートパイプであって、
一方の軸部が上記背面板金に接続され且つ他方の軸部が上記中間平板金に接続されると共に、水平方向に沿って複数並べられることを特徴とする請求項１に記載の液晶モジュールの構造。
【請求項３】
上記伝熱部材は、鉛直方向に沿って配設される板状のヒートシンクであって、
上記背面板金および上記中間平板金の少なくとも一方から他方の方向へ突出して設けられると共に、水平方向に沿って複数並べられることを特徴とする請求項１に記載の液晶モジュールの構造。
【請求項４】
上記背面板金の下部には空気を取り入れるための空気取入孔が設けられると共に、同背面板金の上部には空気を排出するための空気排出孔が設けられることを特徴とする請求項１乃至３の何れかに記載の液晶モジュールの構造。
【請求項５】
上記背面板金の表面は凹凸状にディンプル加工されることを特徴とする請求項1乃至４の何れかに記載の液晶モジュールの構造。
【請求項６】
前記放電管は、上記液晶パネルを背面から照射する冷陰極蛍光管であり、
液晶テレビジョンにおいてフロントキャビネットとリアキャビネットとから構成される筐体に上記液晶モジュールが収納されることを特徴とする請求項５に記載の液晶モジュールの構造。 
【発明の詳細な説明】
【技術分野】
【０００１】
本発明は、液晶モジュールの構造に係り、特に、放電管により液晶パネルの背面から光を照射する直下型バックライトを備えた液晶モジュールに関する。
【背景技術】
【０００２】
液晶パネルやその液晶パネルを背面から照射するバックライトとして用いられる放電管等がモジュール化された液晶モジュール、およびフロントキャビネットとリアキャビネットとから構成される筐体にその液晶モジュールを収納する液晶テレビジョンがよく知られている。
【０００３】
図７の（ａ）は液晶モジュール１の構造を示す分解斜視図であり、（ｂ）は液晶モジュール１の構造を示すＡ−Ａ断面図である。図７の（ａ）、（ｂ）において液晶モジュール１は、ベゼル２、液晶パネル３、拡散板４、反射フレーム５、放電管の一種である冷陰極蛍光管（ＣＣＦＬ）が用いられたバックライト６、反射シート７、および背面板金８を主体として構成されている。このように構成された液晶モジュール１において、液晶モジュール１内の熱こもりにより上層部の方が温度が高くなる温度勾配が存在する。そうすると図７の（ｃ）に示した液晶モジュール内温度と冷陰極蛍光管の輝度との関係（温度−輝度特性）からも明らかなように、液晶モジュール１内の温度勾配によりバックライト６の輝度がばらついてしまうという問題が生じる可能性があった。
【０００４】
上記問題点に対して、例えば、特許文献１には、バックライトの反射板の背面に高熱伝導度の金属板や波形形状金属板を貼り付け、モジュール内を均熱化すると共に放熱を促進して温度上昇を防止することができる液晶ディスプレイが開示されている。
【０００５】
また、特許文献２には、金属製の反射板に凹凸パターンにより放熱器を形成して、管状光源の両端電極部での発熱に起因する表示ムラや輝度の低下を防止することができる直下型バックライトが開示されている。
【０００６】
また、特許文献３には、液晶表示装置における裏面に配置されるプレートや裏面板から構成されるケースに沿ってヒートパイプを延設し、ヒートパイプを通じて液晶表示装置の裏面まで効率よく熱を伝えることができる液晶表示装置が開示されている。
【０００７】
また、特許文献４には、ＬＥＤバックライトを保護する下側筐体にヒートシンク機能を持たせた液晶表示装置が開示されている。
【０００８】
また、特許文献５には、バックライトモジュール後方のアルミ背板を導熱樹脂で放熱ユニットと固定し、アルミ背板に放熱器を設けて快速な放熱効果を達成する液晶ディスプレイの放熱装置が開示されている。
【０００９】
また、特許文献６には、ＬＥＤ実装部にヒートシンク形状の放熱用部材を隣接して配置することによりＬＥＤ周辺部に熱の影響を及ぼすことがなくなる表示装置が開示されている。
【特許文献１】特開２００５−３７８２３号公報
【特許文献２】特開２００１−２１６８０７号公報
【特許文献３】特開２００６−２２７０７３号公報
【特許文献４】特開２００６−２３５３９９号公報
【特許文献５】実用新案登録第３１０００２２号公報
【特許文献６】特開２００６−２３５０９３号公報
【発明の開示】
【発明が解決しようとする課題】
【００１０】
ところで、バックライト６と背面板金８との間に存在する浮遊容量（ストレキャパシタンス）にばらつきがあると、バックライト６のインピーダンス特性がばらついてランプ電流にばらつきが生じることからバックライト６の輝度がばらつく可能性がある。このストレキャパシタンスは距離に影響されるので、ストレキャパシタンスのばらつきによるバックライト６の輝度のばらつきを抑制するためには背面板金８を極力平板にすることが望ましいが、そうすると各特許文献で示したような背面の板金や反射板等に凹凸等を設けることによる放熱効果が得られ難くなる。つまり、液晶モジュール１内の温度勾配によるバックライト６の輝度ばらつきを抑制しようとすると、ストレキャパシタンスのばらつきによりバックライト６の輝度がばらついてしまうという新たな問題が生じる可能性があった。
【００１１】
また、背面板金８の裏側に電源回路や各処理回路等が搭載された回路基板を固定することもあることから、背面板金８の裏側にヒートシンク等の部材を設けることもできるだけ避けることが望まれる。
【００１２】
このように、液晶モジュール１内の温度勾配によるバックライト６の輝度ばらつきを抑制することと、ストレキャパシタンスのばらつきによるバックライト６の輝度ばらつきを抑制することや液晶テレビジョン内に各装置を効率よく配置することとを両立させることについては未だ提案されていない。
【００１３】
本発明は上記課題に鑑みて為されたもので、その目的とするところは、放電管の輝度ばらつきの抑制を考慮したストレキャパシタンスの特性と液晶テレビジョン内のスペース効率とを確保しつつ、液晶モジュール内の温度勾配による放電管の輝度ばらつきを抑制することができる液晶モジュールの構造を提供することにある。
【課題を解決するための手段】
【００１４】
上記目的を達成するための請求項１に記載の発明は、画面に映像を表示する液晶パネルと、同液晶パネルを背面から照射する放電管と、同放電管の上記液晶パネル側とは反対側に配置されて同放電管から照射された光を同液晶パネルに向けて反射する反射シートと、同反射シートの上記液晶パネル側とは反対側に配置される背面板金とがモジュール化された液晶モジュールの構造において、上記反射シートを上記液晶パネル側に密着させることで保持すると共に、上記放電管との間で所定の距離を保ちつつ同放電管と上記背面板金との間に配設される中間平板金と、上記液晶モジュール内の温度ばらつきが抑制されるように上記背面板金と上記中間平板金との間に配設されて上記背面板金と上記中間平板金との間の空間内における鉛直方向の熱移動を可能とする伝熱部材とを、備えることにある。
【００１５】
上記のように構成された本発明の液晶モジュールの構造において、放電管と背面板金との間には反射シートを液晶パネル側に密着させることでその反射シートを保持すると共に放電管との間で所定の距離を保つ中間平板金が配設されるので、反射シートが適切に保持されつつ、放電管の輝度ばらつきの要因となる中間平板金と放電管との間に存在するストレキャパシタンスのばらつきが抑制される。また、背面板金と中間平板金との間にはその間の空間内における鉛直方向の熱移動を可能とする伝熱部材が備えられるので、背面板金の裏側にヒートシンク等の部材を設けることなく且つ上記ストレキャパシタンスのばらつきを増大させることなく放電管の輝度ばらつきの要因となる液晶モジュール内の温度ばらつき（温度勾配）が抑制される。
【００１６】
また、請求項２に記載の発明は、請求項１に記載の液晶モジュールの構造において、上記伝熱部材は、連結された２つの軸部が鉛直方向に沿って配設されるＵ字状のヒートパイプであって、一方の軸部が上記背面板金に接続され且つ他方の軸部が上記中間平板金に接続されると共に、水平方向に沿って複数並べられることにある。
【００１７】
上記のように構成された請求項１に記載の液晶モジュールの構造において、伝熱部材は連結された２つの軸部の一方の軸部が背面板金に接続され且つ他方の軸部が中間平板金に接続されつつ鉛直方向に沿ってその軸部が配設されると共に水平方向に沿って複数並べられたＵ字状のヒートパイプであるので、背面板金と中間平板金との間の空間内における鉛直方向の熱移動が適切に行われる。
【００１８】
また、請求項３に記載の発明は、請求項１に記載の液晶モジュールの構造において、上記伝熱部材は、鉛直方向に沿って配設される板状のヒートシンクであって、上記背面板金および上記中間平板金の少なくとも一方から他方の方向へ突出して設けられると共に、水平方向に沿って複数並べられることにある。
【００１９】
上記のように構成された請求項１に記載の液晶モジュールの構造において、伝熱部材は背面板金および中間平板金の少なくとも一方から他方の方向へ突出しつつ鉛直方向に沿って配設されると共に水平方向に沿って複数並べられた板状のヒートシンクであるので、背面板金と中間平板金との間の空間内における鉛直方向の熱移動が適切に行われる。
【００２０】
また、請求項４に記載の発明は、請求項１乃至３の何れかに記載の液晶モジュールの構造において、上記背面板金の下部には空気を取り入れるための空気取入孔が設けられると共に、同背面板金の上部には空気を排出するための空気排出孔が設けられることにある。
【００２１】
上記のように構成された請求項１乃至３の何れかに記載の液晶モジュールの構造において、反射シートの背面側となる背面板金の下部にて空気取入孔が設けられて空気が取り入れられ、反射シートの背面側となる背面板金の上部にて空気排出孔が設けられて空気が排出されるので、光漏れによる影響が抑制されつつエアフローが容易に確保される。
【００２２】
また、請求項５に記載の発明は、請求項1乃至４の何れかに記載の液晶モジュールの構造において、上記背面板金の表面は凹凸状にディンプル加工されることにある。
【００２３】
上記のように構成された請求項1乃至４の何れかに記載の液晶モジュールの構造において、背面板金の表面は凹凸状にディンプル加工されるので、背面板金の裏側に別途部材を設けることなく且つストレキャパシタンスのばらつきを増大させることなく背面板金がヒートシンクとして機能させられる。
【００２４】
また、請求項６に記載の発明は、請求項５に記載の液晶モジュールの構造において、前記放電管は、上記液晶パネルを背面から照射する冷陰極蛍光管であり、液晶テレビジョンにおいてフロントキャビネットとリアキャビネットとから構成される筐体に上記液晶モジュールが収納されることにある。
【００２５】
上記のように構成された請求項５に記載の液晶モジュールの構造において、反射シートが適切に保持されつつ、冷陰極蛍光管の輝度ばらつきの要因となる中間平板金と冷陰極蛍光管との間に存在するストレキャパシタンスのばらつきが抑制される構造の液晶モジュールが液晶テレビジョンに収納される。
【発明の効果】
【００２６】
以上説明したように、請求項１に記載の発明によれば、背面板金の裏側にヒートシンク等の部材を設けることなく且つ中間平板金と放電管との間に存在するストレキャパシタンスのばらつきを増大させることなく放電管の輝度ばらつきの要因となる液晶モジュール内の温度ばらつき（温度勾配）が抑制されるので、放電管の輝度ばらつきの抑制を考慮したストレキャパシタンスの特性と液晶テレビジョン内のスペース効率とを確保しつつ、液晶モジュール内の温度勾配による放電管の輝度ばらつきを抑制することができる。
【００２７】
また、請求項２に記載の発明によれば、背面板金と中間平板金との間の空間内における鉛直方向の熱移動が適切に行われるので、放電管の輝度ばらつきの要因となる液晶モジュール内の温度ばらつき（温度勾配）が適切に抑制される。
【００２８】
また、請求項３に記載の発明によれば、背面板金と中間平板金との間の空間内における鉛直方向の熱移動が適切に行われるので、放電管の輝度ばらつきの要因となる液晶モジュール内の温度ばらつき（温度勾配）が適切に抑制される。
【００２９】
また、請求項４に記載の発明によれば、光漏れによる影響が抑制されつつエアフローが容易に確保されるので、放電管の輝度ばらつきの要因となる液晶モジュール内の温度ばらつき（温度勾配）が一層抑制される。
【００３０】
また、請求項５に記載の発明によれば、背面板金の裏側に別途部材を設けることなく且つストレキャパシタンスのばらつきを増大させることなく背面板金がヒートシンクとして機能させられるので、放電管の輝度ばらつきの抑制を考慮したストレキャパシタンスの特性と液晶テレビジョン内のスペース効率とを確保しつつ液晶モジュール内の温度勾配による放電管の輝度ばらつきを一層抑制することができる。
【００３１】
また、請求項６に記載の発明によれば、冷陰極蛍光管の輝度ばらつきの抑制を考慮したストレキャパシタンスの特性と液晶テレビジョン内のスペース効率とを確保しつつ、液晶モジュール内の温度勾配による冷陰極蛍光管の輝度ばらつきを抑制することができる構造の液晶モジュールを備えた液晶テレビジョンが提供される。
【発明を実施するための最良の形態】
【００３２】
以下、下記の項目に従って本発明の実施形態を図面を参照しつつ説明する。
（１）液晶テレビジョンの構成
（２）液晶モジュールの構造
（３）液晶モジュールの他の実施形態
（４）まとめ
【００３３】
（１）液晶テレビジョンの構成
図１は、本発明が適用される液晶テレビジョン１０を示す斜視図である。図１において、液晶テレビジョン１０は、液晶モジュール１１と、筺体１２とを主体として構成されている。
【００３４】
液晶モジュール１１は、液晶パネル２３等（図２参照）を収納し、液晶パネル２３の表示面とは反対側となる背面、および上下左右側面を板金で覆われた厚みの薄い構造である。また、液晶モジュール１１にはその補強として、液晶モジュール１１の背面に柱状のシャーシブラケット１３ａ、１３ｂがネジ止めされている。さらに、液晶モジュール１１の背面には、電源回路２７等（図２参照）の各回路が実装された各種回路基板１４が固定されている。
【００３５】
筺体１２は、フロントキャビネット１２ａとリアキャビネット１２ｂとから構成されている。フロントキャビネット１２ａは、前面に映像を表示するための開口部を有しており、液晶モジュール１１がこのフロントキャビネット１２ａにネジ止めされた後、フロントキャビネット１２ａにリアキャビネット１２ｂが組み付けられることにより液晶テレビジョン１０を構成する各構成品を収容する。
【００３６】
図２は、液晶テレビジョン１０のブロック構成図である。図２において、液晶テレビジョン１０は、概略、チューナ２０と、画像データ生成部２１と、パネル駆動部２２と、液晶パネル２３と、インバータ部２４と、バックライト２５、マイコン２６と、電源回路２７とを備えている。
【００３７】
電源回路２７は、例えば部分共振電源回路であり、商用ＡＣ電源を複数種類の所定の電圧に変換して液晶テレビジョン１０の各部へ動作電源電圧を供給する。
【００３８】
マイコン２６は、例えば液晶テレビジョン１０を構成するチューナ２０と画像データ生成部２１とパネル駆動部２２とインバータ部２４と電源回路２７と電気的に接続されており、ＣＰＵやＲＡＭやＲＯＭなどを有して液晶テレビジョン１０全体の動作を制御する。例えば、上記ＲＡＭは、ＣＰＵによって実行される処理プログラムなどを展開するためのプログラム格納領域や処理結果などを格納するデータ格納領域などを備えている。また、上記ＲＯＭは、各種処理プログラムやこれら各種処理プログラムを実行する際に使用されるデータなどを記憶する。そして、上記ＣＰＵは、上記ＲＯＭやＲＡＭなどに書き込まれた各プログラムやデータ等に従って各種の制御動作を行う。
【００３９】
チューナ２０は、例えばアンテナ２８と接続されており、マイコン２６の制御によりアンテナ２８で受信されるテレビジョン放送信号の中から１つのチャンネル（例えばユーザによって選局されたチャンネル）に対応するテレビジョン放送信号を取得し、所定の信号増幅処理等を行いつつ、テレビジョン放送信号から中間周波信号としての映像信号を抽出して画像データ生成部２１に出力する。
【００４０】
画像データ生成部２１は、例えば入力された映像信号をその信号レベルに応じてデジタル化するとともに、映像信号から抽出した輝度信号と色差信号とに基づいてマトリクス変換処理を行ない、画像データとしてのＲＧＢ（レッド、グリーン、ブルー）信号を生成する。
【００４１】
パネル駆動部２２は、例えば画像データ生成部２１からＲＧＢ信号が入力されると、このＲＧＢ信号に対して液晶パネル２３の画素数（横縦比、ｍ：ｎ）に合わせたスケーリング処理を行い液晶パネル２３に表示する１画面分の画像データを生成し、その画像データを液晶パネル２３に出力する。
【００４２】
インバータ部２４は、電源回路から供給された直流電圧を交流電圧に変換するとともに昇圧してバックライト２５に供給する。このバックライト２５は、放電管の一種である冷陰極蛍光管（ＣＣＦＬ）が用いられており、この冷陰極蛍光管にインバータ部２４から供給される交流電圧が印加されて電流が流されることによりバックライト２５の前面を覆うように配置される液晶パネル２３を背面から照射する光源とされる。
【００４３】
液晶パネル２３は、駆動電圧の値によって分子の配列が変化する液晶物質を充填した画素をマトリクス状に配置する構造である。このように構成された液晶パネル２３は、パネル駆動部２２により生成された画像データに基づいて上記液晶物質が充填された各画素に所定の電圧を印加することによって配列を変化させ、バックライト２５からの光の透過率を変化させることにより上記画像データに基づく所定の映像を画面に表示する。
【００４４】
（２）液晶モジュールの構造
以下、図３、４を参照して液晶モジュール１１の構造を詳細に説明する。図３は液晶モジュール１１の構造を示す分解斜視図であり、図４は液晶モジュール１１の構造を示す図３におけるＡ−Ａ断面図である。図３、４において液晶モジュール１１は、ベゼル３０、液晶パネル２３、拡散板３１、反射フレーム３２、バックライト２５、反射シート３３、中間平板金３４、伝熱部材としてのヒートパイプ３５、および背面板金３６を主体としてモジュール化された構成である。
【００４５】
ベゼル３０は、液晶パネル２３および拡散板３１を反射フレーム３２との間に挟持して固定する。すなわち、拡散板３１と液晶パネル２３とベゼル３０とは、反射フレーム３２の前面に合わせて順に戴置され、ベゼル３０が液晶パネル２３と拡散板３１とを反射フレーム３２の前面に固定する。拡散板３１は、バックライト２５からの直射光および反射フレーム３２や反射シート３３からの反射光が照射され、その同照射された光を散乱・拡散して面全体を均一な明るさにする。
【００４６】
反射フレーム３２は、例えば前後に浅く形成されて前面および後面を開口した略直方体形状の板金で形成された箱体である。この反射フレーム３２の前後方向中間付近には液晶パネル２３と略平行に中間平板金３４およびその中間平板金３４に密着して保持される反射シート３３が配置され、その反射シート３３の前面側に長軸を左右に配向されたバックライト２５が上下方向に並べて配置され、開口した後面を塞ぐための背面板金３６がその後面に配置される。
【００４７】
また、反射フレーム３２の左右側壁には、バックライト２５が配置される位置に合わせて穴が形成されており、バックライト２５の左右端部を反射フレーム３２の外部に突出可能としている。そして、この略丸穴にバックライト２５を挿通して反射フレーム３２に固定することにより、バックライト２５が上下方向にずれないように固定される。また、反射フレーム３２の上下側壁には、反射シート３３を密着させた中間平板金３４が配置される所定の位置に合わせて保持部材３７が設けられており、反射シート３３と共に中間平板金３４が所定の位置に保持される。また、反射フレーム３２の上下左右側壁は、内後面から前面に向かって広がように形成されており、バックライト２５から上下左右側壁に照射された光を液晶パネル２３の配置される前面方向に反射しやすい構造になっている。
【００４８】
反射シート３３は、例えば紙に樹脂を含浸した光沢紙を素材とする略平面状の白色のシートであって、中間平板金３４と略一致する形状とされ、その中間平板金３４に密着して保持される。反射シート３３の前面側にはバックライト２５が並べて配置され、バックライト２５から直接または間接に反射シート３３に照射された光が液晶パネル２３に向けて反射される。
【００４９】
バックライト２５は、例えば複数本のＵ字管により構成される。無論、直管やＷ字管や擬似Ｕ字管などを用いても構わない。擬似Ｕ字管とは、２本の直管をケーブルにより直列に接続し、ケーブルを接続されない側が一方に揃うようにケーブルを屈曲させて擬似的にＵ字管としたものである。バックライト２５の複数本のＵ字管は、反射シート３３と拡散板３１との間で中間平板金３４から所定の距離を持って上下に略等間隔に並べて配置され、拡散板３１を介して液晶パネル２３の背面に光を照射している。
【００５０】
このように、中間平板金３４は、反射シート３３を液晶パネル２３側に密着させることで保持すると共に、バックライト２５との間で所定の距離を保ちつつそのバックライト２５と背面板金３６との間に配設される。これにより、反射シート３３が適切に保持されつつ、バックライト２５の輝度ばらつきの要因となる中間平板金３４とバックライト２５との間に存在するストレキャパシタンスのばらつきが抑制される。
【００５１】
ヒートパイプ３５は、例えば伝熱に優れた熱伝達率の高い銅製あるいは銅合金製のパイプであって、そのパイプ内には冷媒としてパイプ内部空間の１０％程度の体積の水が収容される構成とされており、中間平板金３４と背面板金３６との間に配設されて中間平板金３４と背面板金３６との間の空間内における鉛直方向の熱移動を可能とする伝熱部材として機能する。例えば、ヒートパイプ３５は、連結された２つの軸部が鉛直方向に沿って配設されるＵ字状のパイプであって、一方の軸部が背面板金３６に接続され且つ他方の軸部が中間平板金３４に接続されると共に、水平方向（左右方向）に沿って略等間隔に複数並べて配置される。これにより、液晶モジュール１１内の温度ばらつきが抑制され、液晶モジュール１１内の温度勾配によるバックライト２５の輝度ばらつきが抑制される。このとき、ヒートパイプ３５は中間平板金３４と背面板金３６との間に備えられるので、背面板金３６の裏側にヒートシンク等の部材を設けることなく且つストレキャパシタンスのばらつきを増大させることなく液晶モジュール１１内の温度ばらつき（温度勾配）が抑制される。
【００５２】
（３）液晶モジュールの他の実施形態
図５は、反射フレーム３２を除く液晶モジュール１１の内部構造を示す部分拡大斜視図である。図５に示すように、背面板金３６の下部に空気を取り入れるための空気取入孔５０を設けると共に、背面板金３６の上部に空気を排出するための空気排出孔５１を設けても良い。これら空気取入孔５０および空気排出孔５１は、例えば水平方向に延びた略矩形状の孔であって、それぞれ所定の位置に上下方向に沿って複数並べて設けられる。これにより、エアフローが容易に確保されて液晶モジュール１１内の温度ばらつき（温度勾配）が一層抑制される。特に、反射シート３３の背面側にて空気取入孔５０および空気排出孔５１が設けられることから光漏れによる影響が抑制されるという効果も得られる。
【００５３】
また、図５に示すように、背面板金３６の表面を凹凸状にディンプル加工してディンプル５２を設けても良い。これにより、背面板金３６の裏側に別途部材を設けることなく且つストレキャパシタンスのばらつきを増大させることなく背面板金３６がヒートシンクとして機能させられることから液晶モジュール１１内の温度ばらつき（温度勾配）が一層抑制される。
【００５４】
図６は、反射フレーム３２を除く液晶モジュール１１の内部構造を示す部分拡大斜視図である。図６に示すように、ヒートパイプ３５に替えて、中間平板金３４と背面板金３６との間の空間内における鉛直方向の熱移動を可能とする伝熱部材として鉛直方向に沿って配設される板状のヒートシンク６０を設けても良い。例えば、ヒートシンク６０は、中間平板金３４上にその中間平板金３４から背面板金３６の方向へ突出して設けられると共に、水平方向に沿って略等間隔に複数並べて配置される。これにより、ヒートパイプ３５と同様に、中間平板金３４と背面板金３６との間の空間内における鉛直方向の熱移動が適切に行われることから液晶モジュール内の温度ばらつきが抑制され、液晶モジュール１１内の温度勾配によるバックライト２５の輝度ばらつきが抑制される。このとき、ヒートシンク６０は中間平板金３４と背面板金３６との間に備えられるので、背面板金３６の裏側にヒートシンク等の部材を設けることなく且つストレキャパシタンスのばらつきを増大させることなく液晶モジュール１１内の温度ばらつき（温度勾配）が抑制される。
【００５５】
（４）まとめ
上述のように、本実施例によれば、バックライト２５と背面板金３６との間には反射シート３３を保持すると共にバックライト２５との間で所定の距離を保つ中間平板金３４が配設されるので、反射シート３３が適切に保持されつつ、バックライト２５の輝度ばらつきの要因となる中間平板金３４とバックライト２５との間に存在するストレキャパシタンスのばらつきが抑制される。また、中間平板金３４と背面板金３６との間にはその間の空間内における鉛直方向の熱移動を可能とする伝熱部材が備えられるので、背面板金３６の裏側にヒートシンク等の部材を設けることなく且つストレキャパシタンスのばらつきを増大させることなくバックライト２５の輝度ばらつきの要因となる液晶モジュール１１内の温度ばらつき（温度勾配）が抑制される。よって、バックライト２５の輝度ばらつきの抑制を考慮したストレキャパシタンスの特性（特には中間平板金３４とバックライト２５との距離で決まるストレキャパシタンスの特性）と液晶テレビジョン１０内のスペース効率とを確保しつつ、液晶モジュール１１内の温度勾配によるバックライト２５の輝度ばらつきを抑制することができる。
【００５６】
また、本実施例によれば、上記伝熱部材は背面板金３６と中間平板金３４とに接続される複数並べられたＵ字状のヒートパイプ３５であるので、或いは上記伝熱部材は中間平板金３４から背面板金３６へ突出して配設される複数並べられた板状のヒートシンク６０であるので、中間平板金３４と背面板金３６との間の空間内における鉛直方向の熱移動が適切に行われる。よって、バックライト２５の輝度ばらつきの要因となる液晶モジュール１１内の温度ばらつき（温度勾配）が適切に抑制される。
【００５７】
また、本実施例によれば、反射シート３３の背面側となる背面板金３６の下部にて空気取入孔５０が設けられて空気が取り入れられ、その背面板金３６の上部にて空気排出孔５１が設けられて空気が排出されるので、光漏れによる影響が抑制されつつエアフローが容易に確保される。よって、バックライト２５の輝度ばらつきの要因となる液晶モジュール１１内の温度ばらつき（温度勾配）が一層抑制される。
【００５８】
また、本実施例によれば、背面板金３６の表面は凹凸状にディンプル加工されるので、背面板金３６の裏側に別途部材を設けることなく且つストレキャパシタンスのばらつきを増大させることなく背面板金３６がヒートシンクとして機能させられる。よって、バックライト２５の輝度ばらつきの抑制を考慮したストレキャパシタンスの特性と液晶テレビジョン１０内のスペース効率とを確保しつつ、液晶モジュール１１内の温度勾配によるバックライト２５の輝度ばらつきを一層抑制することができる。
【００５９】
以上、本発明の実施例を図面に基づいて詳細に説明したが、本発明はその他の態様においても適用される。
【００６０】
例えば、前述の実施例では、ヒートパイプ３５は、軸部の連結部分を上にして配設されたが、その連結部を下にして配設されても良い。このようにしても同様の効果が得られる。
【００６１】
また、前述の実施例では、ヒートシンク６０は、中間平板金３４上に設けられたが、背面板金３６上にその背面板金３６から中間平板金３４の方向へ突出して複数並べられても良い。また、中間平板金３４上と背面板金３６上とにヒートシンク６０が設けられても良い。このようにしても同様の効果が得られる。
【００６２】
また、前述の実施例では、空気取入孔５０および空気排出孔５１は、背面板金３６に設けられたが、反射シート３３の背面側における反射フレーム３２の下部と上部に設けられても良い。このようにしても同様の効果が得られる。
【００６３】
なお、上述したのはあくまでも一実施形態であり、本発明は当業者の知識に基づいて種々の変更、改良を加えた態様で実施することができる。
【図面の簡単な説明】
【００６４】
【図１】本発明が適用される液晶テレビジョンの一例を示す斜視図である。
【図２】液晶テレビジョンのブロック構成図である。
【図３】液晶モジュールの構造を示す分解斜視図である。
【図４】液晶モジュールの構造を示す図３におけるＡ−Ａ断面図である。
【図５】液晶モジュールの他の実施形態を説明するための反射フレームを除く液晶モジュールの内部構造を示す部分拡大斜視図である。
【図６】液晶モジュールの他の実施形態を説明するための反射フレームを除く液晶モジュールの内部構造を示す部分拡大斜視図である。
【図７】液晶モジュールの従来例を説明する図であって、（ａ）は液晶モジュールの構造を示す分解斜視図であり、（ｂ）は液晶モジュールの構造を示すＡ−Ａ断面図であり、（ｃ）は液晶モジュール内温度と冷陰極蛍光管の輝度との関係を示す温度−輝度特性図である。
【符号の説明】
【００６５】
１０：液晶テレビジョン
１１：液晶モジュール
１２：筐体
１２ａ：フロントキャビネット
１２ｂ：リアキャビネット
２３：液晶パネル
２５：バックライト（放電管、冷陰極蛍光管）
３３：反射シート
３４：中間平板金
３５：ヒートパイプ（伝熱部材）
３６：背面板金
５０：空気取入孔
５１：空気排出孔
５２：ディンプル
６０：ヒートシンク（伝熱部材） 
【図１】
2008286831.tif 000003
【図２】
2008286831.tif 000004
【図３】
2008286831.tif 000005
【図４】
2008286831.tif 000006
【図５】
2008286831.tif 000007
【図６】
2008286831.tif 000008
【図７】
2008286831.tif 000009